(57)【要約】      （修正有）【課題】適正な準備金を算出する自動取引装置及び準備金管理方法を提供する。【解決手段】自動取引装置であって、入出金取引によって増減する紙幣在高枚数の現在値と紙幣在高枚数の最小値とを金種別に記憶する在高管理テーブルと、利用者の識別情報および入出金取引された紙幣の識別情報を含む出金取引情報および入金取引情報を取引毎に記憶する取引情報管理テーブルと、を記憶する記憶部と、入出金取引時に入金取引情報または出金取引情報を取引情報管理テーブルに記憶させるとともに在高管理テーブルを更新し、入金取引情報および出金取引情報に含まれる利用者の識別情報と紙幣の識別情報とを比較し出金取引から規定時間以内に連続して同一の利用者によって出金時と同じ紙幣を使用して入金された取引を特定し、特定した前記取引において入金された紙幣枚数を最小値に加算することにより、在高管理テーブルが記憶する最小値を補正する紙幣読取部と、を備える。【選択図】図２
2014102618.tif 000002
【特許請求の範囲】
【請求項１】
利用者との間で紙幣の入出金取引を行う現金自動取引装置であって、
入出金取引によって増減する紙幣在高枚数の現在値と、前記紙幣在高枚数の最小値とを金種別に記憶する在高管理テーブルと、前記利用者の識別情報および入出金取引された紙幣の識別情報を含む出金取引情報および入金取引情報を取引毎に記憶する取引情報管理テーブルと、を記憶する記憶部と、
入出金取引時に、前記入金取引情報または前記出金取引情報を前記取引情報管理テーブルに記憶させるとともに前記在高管理テーブルを更新し、前記入金取引情報および前記出金取引情報に含まれる前記利用者の識別情報と前記紙幣の識別情報とを比較し、出金取引から規定時間以内に連続して同一の利用者によって出金時と同じ紙幣を使用して入金された取引を特定し、特定した前記取引において入金された紙幣枚数を前記最小値に加算することにより、前記在高管理テーブルが記憶する最小値を補正する紙幣読取部と、
を備えることを特徴とする現金自動取引装置。
【請求項２】
前記記憶部は、前記紙幣在高枚数の最大値を前記現在値および前記最小値とともに金種別に前記在高管理テーブルに記憶し、
前記紙幣読取部は、前記入金取引情報および前記出金取引情報に含まれる前記利用者の識別情報と前記紙幣の識別情報とを比較し、入金取引から規定時間以内に連続して同一の利用者によって入金時と同じ紙幣を使用して出金された取引を特定し、特定した前記取引において出金された紙幣枚数を前記最大値に加算することにより、前記在高管理テーブルが記憶する最大値を補正する、
ことを特徴とする請求項１に記載の現金自動取引装置。
【請求項３】
前記現金自動取引装置は、前記利用者から前記現金自動取引装置に運用方法に応じて前記規定時間と前記最小値または前記最大値の補正の要否とを受け付ける入力受付部をさらに備え、
前記記憶部は、前記入力受付部から受け付けられた前記規定時間と前記最小値または前記最大値の補正の要否とを前記現金自動取引装置の運用方法ごとにパラメータとして記憶し、
前記紙幣読取部は、前記パラメータを読み出して前記取引の特定および前記補正を行う、
ことを特徴とする請求項１または２に記載の現金自動取引装置。
【請求項４】
前記現金自動取引装置は、前記現金自動取引装置を管理するホストコンピュータに接続され、前記紙幣読取部は、前記在高管理テーブルおよび自身を識別するための装置識別情報を前記ホストコンピュータに日々送信し、
前記ホストコンピュータは、前記現金自動取引装置が記憶する前記在高管理テーブルを前記現金自動取引装置ごとに日々蓄積して記憶するホスト記憶部と、
前記ホスト記憶部が記憶する在高管理テーブルの前記最大値または前記最小値の日毎の統計を取得して前記現金自動取引装置に準備すべき適正な紙幣枚数を前記自動取引装置毎に算出する制御部と、
を備えることを特徴とする請求項２または３に記載の現金自動取引装置。
【請求項５】
前記紙幣読取部は、前記補正を行った場合において、前記最大値または前記最小値と、前記補正の結果とを含む前記入出金取引の履歴をジャーナル情報として所定の媒体に出力する、
ことを特徴とする請求項２〜４のいずれか１項に記載の現金自動取引装置。
【請求項６】
利用者との間で紙幣の入出金取引を行う現金自動取引装置で行われる準備金管理方法であって、
入出金取引時に、前記入金取引情報または前記出金取引情報を前記利用者の識別情報および入出金取引された紙幣の識別情報を含む出金取引情報および入金取引情報を取引毎に記憶する取引情報管理テーブルに記憶させるとともに、入出金取引によって増減する紙幣在高枚数の現在値と、前記紙幣在高枚数の最小値とを金種別に記憶する在高管理テーブルを更新する取引ステップと
前記入金取引情報および前記出金取引情報に含まれる前記利用者の識別情報と前記紙幣の識別情報とを比較し、出金取引から規定時間以内に連続して同一の利用者によって出金時と同じ紙幣を使用して入金された取引を特定する比較特定ステップと、
特定した前記取引において入金された紙幣枚数を前記最小値に加算することにより、前記在高管理テーブルが記憶する最小値を補正する補正ステップと、
を含むことを特徴とする準備金管理方法。
【発明の詳細な説明】
【技術分野】
【０００１】
本発明は、現金の入出金取引などを金融機関等のホストコンピュータとのオンライン取引を介して制御する機能と、紙幣の装填・回収・補充などを制御する運用機能とを備えた現金自動取引装置及び準備金管理方法に関する。
【背景技術】
【０００２】
近年、現金自動取引装置においては、従来の金融機関店舗内などに留まらず、コンビニエンスストアやデパート、各市町村の市役所や役場、病院など、さまざまな場所に多数設置され、またその運用においては、現金の運搬や装置への現金の装填、回収などの作業を警備会社など第三者に委託しておこなっているケースも少なくない。これに伴って、これら金融機関店舗以外に設置された現金自動取引装置においては、運用の途中で装置内の現金不足が発生することで、警備会社などが追加で装置に現金を補充するなどの不要な作業が生じないよう、金融機関においては、各装置毎に１日に必要な分の準備金を確実に用意する必要がある。また、装置の扱いに不慣れな警備員が現金の装置への装填および回収作業をおこなうことで、警備員による装置への現金の装填／回収作業におけるリスク（紙幣ジャムなどの装置障害が発生した場合に、紙幣ジャム除去作業などに時間を要し、障害復旧が遅延するなどのリスク）も増大している。
【０００３】
金融機関においては、各装置毎に準備する手持ちの現金を極力減らすことはもちろん重要であるが、これ以外に、前記警備員が作業することによるリスクを軽減するために、装置に使用する紙幣総枚数を極力減らすことが重要であり、これにより、現金を装填、回収する際の紙幣ユニットでの全体の紙幣搬送量を減らすことができ、紙幣ジャムなどの装置障害の発生率を軽減することができる。このため、金融機関は、各装置毎に適正な準備金によって装置を運用する必要がある。金融機関における適正な準備金の算出方法として、従来においては、各装置毎の１日の金種毎の合計出金金額や、１日の運用終了時の金種毎の現金回収金額などの運用実績値から各装置毎に必要となる準備金を算出する方法などが用いられているものと推測する。
【０００４】
また、適切な準備金を算出する方式として、現金自動取引装置とは異なるが、店舗出納システムにおいて、売上予測や、過去の釣銭準備金データ、過去の両替データを基に、最適な金種別釣銭準備金を自動算出する方式が提案されている（特許文献１参照）。この方式は、ＰＯＳ端末および入出金、両替、現金自動計数のできる店舗出納端末とからなる店舗出納システムにおいて、ＰＯＳ端末毎又はＰＯＳ端末利用者毎に識別記号を決めておき、ホストコンピュータで識別記号単位に蓄積した過去の両替情報、過去の釣銭準備金情報、過去のＰＯＳ取引情報を基に、翌営業日に必要となる最適な金種別釣銭準備金を自動算出するものである。
【０００５】
また、同様に現金自動取引装置とは異なるが、釣銭準備金管理装置において適切な釣銭準備金を求める方式が提案されている（特許文献２参照）。この方式は、装置に収納されている貨幣の在高を金種別に求め、求めた在高を一取引毎に記憶領域に記憶させ、記憶領域に記憶されている在高の最大値と最小値との差を釣銭準備金として金種別に求めることで適切な釣銭準備金を算出するものである。
【先行技術文献】
【特許文献】
【０００６】
【特許文献１】特開平７−１２９８５９号公報
【特許文献２】特開２００９−９４５０号公報
【発明の概要】
【発明が解決しようとする課題】
【０００７】
前記従来例によれば、過去の各装置毎の１日の金種毎の合計出金金額や、１日の運用終了時の現金回収金額などの運用実績情報から各装置毎に日々必要となる準備金をある程度試算することが可能である。また、特許文献１の方式においても、この方式を現金自動取引装置に採用することで適切な準備金の算出が可能である。しかし、従来例や特許文献１の方式にて準備金を算出すると、現金自動取引装置の種類や取引の種類によっては、実際の運用で使用する現金より多いか、または少ない準備金となる可能性がある。
【０００８】
例えば、最近の現金自動取引装置では、紙幣の入出金還流方式機能を持ったものが主流となっており、この場合、エンドユーザによる入金と出金の取引が混在することにより、装置内の現金在高がその都度増減することとなる（エンドユーザとは、現金自動取引装置を利用して現金の入出金取引などを実際におこなうユーザのことを示す。またユーザとは、現金自動取引装置を運用する側の金融機関などの顧客を示す。）。該入出金の取引が混在することによって、１日の合計出金金額は多いが、装置内の現金在高は運用中もそれほど減らなかったり、逆に、ある時間帯に出金取引が集中し、装置内の現金在高が非常に少なくなったが、その後で入金取引が集中し、装置内の現金在高が増加し、元に近い値まで戻った場合やその逆の取引ケースなどもありうるため、合計出金金額や現金回収金額のみでは、該装置に１日に必要な準備金を正確に把握することはできない。また特許文献１のようにこれらの過去データ値をもとに準備金を算出しても、もとになるデータ値自体が適性な値でないため、適正な値は得られない。但し、特許文献２のように、装置に収納されている貨幣の在高を金種別に求め、求めた在高の最大値と最小値を一取引毎に記憶し、運用終了時にこの差を金種別に求めることで、前記従来例および特許文献１より適正な準備金の把握ができると考えられる。
【０００９】
しかしながら、特許文献２の算出方式においても、以下のようなエンドユーザによる特異な取引ケースが混在すると、適正な準備金の算出ができない場合がある。該特異取引ケースとして、エンドユーザが現金を出金した後、何らかの理由により、同一のエンドユーザが連続して取引をおこない、装置から出金した現金をそのまま、またはその一部を入金して装置に戻した場合の取引ケースが考えられる。
【００１０】
何らかの理由とは、具体的な例でいうと、例えば、例１として、エンドユーザが現金自動取引装置の操作画面から出金金額を入力する際に、数字入力ボタンの２重タッチなどの操作ミスにより、正しくは１０万円と入力すべきところを誤って１００万円と入力し、またそれに気付かないまま、確認ボタンを押してしまったため、実際にエンドユーザが出金したい金額よりも過剰に多くの現金が装置から出金されてしまい、出金した現金の一部を再度入金して装置に戻した。
【００１１】
また、例２として、エンドユーザが一旦現金を出金し、この出金した現金をそのまま、または一部を使用して口座振込み取引をおこない入金した。または、現金を使用した口座振込みの取り扱い操作が装置の運用で許可されておらず、改めて現金を使用しないで口座振込み取引をおこなったため、出金した現金をそのまま入金して装置に戻した。
【００１２】
また、例３として、同一人が複数の預金口座を所持している場合で、装置の操作に不慣れなエンドユーザが、口座振替取引が可能であるにも係らず、それを知らずに、一方の預金口座から現金を出金し、その現金を使用して別の預金口座に入金し直した、などのいくつかの理由が考えられる。
【００１３】
前記取引ケースについては、エンドユーザの誤操作や装置の扱いの不慣れなどによって発生したもので本来は出金する予定のないものであり、また一旦出金してしまった現金は、その直後に入金操作によってそのまま装置に戻されたことを考慮すると、準備金を算出するための処理においては、当該装置からこれら入金して装置に戻した分の現金については、出金されなかったものとみなして算出するのが妥当であると考える。
【００１４】
しかし、特許文献２による算出方式では、出金によって一時的に装置内の現金在高が最小値に更新されると、その直後に、入金操作によって出金した現金をそのまま装置に戻した場合においても、一旦更新された現金在高の最小値は保持されたままとなり、その後の、出金取引によって、現金在高の最小値が再度更新されない限り、準備金は該現金在高の最小値をもとに算出されることになる。
【００１５】
また前記取引ケースの金額が大きいほど装置内在高の最大値と最小値の差が大きくなるため、前記取引ケースがいくつか混在し、該取引金額が大きいほど、適正な準備金の算出が出来なくなってしまう。このため、この課題を解決するために、前記取引ケースを考慮した適正な準備金の算出方法が必要となる。
【００１６】
本発明の目的は、入出金紙幣還流方式の現金自動取引装置の運用において、運用開始時から運用終了時迄の間の装置内紙幣の金種毎の最大在高枚数と最小在高枚数、最大在高変動枚数の値を、エンドユーザによる前記特異取引ケースについても考慮して算出することで、これら運用実績値の統計情報をもとに、各装置毎の適正な準備金を算出する現金自動取引装置及び準備金管理方法を提供することにある。
【課題を解決するための手段】
【００１７】
上述した課題を解決し、目的を達成するために、本発明にかかる現金自動取引装置は、利用者との間で紙幣の入出金取引を行う現金自動取引装置であって、入出金取引によって増減する紙幣在高枚数の現在値と、前記紙幣在高枚数の最小値とを金種別に記憶する在高管理テーブルと、前記利用者の識別情報および入出金取引された紙幣の識別情報を含む出金取引情報および入金取引情報を取引毎に記憶する取引情報管理テーブルと、を記憶する記憶部と、入出金取引時に、前記入金取引情報または前記出金取引情報を前記取引情報管理テーブルに記憶させるとともに前記在高管理テーブルを更新し、前記入金取引情報および前記出金取引情報に含まれる前記利用者の識別情報と前記紙幣の識別情報とを比較し、出金取引から規定時間以内に連続して同一の利用者によって出金時と同じ紙幣を使用して入金された取引を特定し、特定した前記取引において入金された紙幣枚数を前記最小値に加算することにより、前記在高管理テーブルが記憶する最小値を補正する紙幣読取部と、を備えることを特徴とする。
【００１８】
また、本発明は、上記現金自動取引装置で行われる準備金管理方法である。
【発明の効果】
【００１９】
本発明によれば、適正な準備金を算出する現金自動取引装置及び準備金管理方法を提供することができる。
【図面の簡単な説明】
【００２０】
【図１】現金自動取引装置とホストコンピュータとの概要を示す図である。
【図２】現金自動取引装置とホストコンピュータの内部構成を示す図である。
【図３】紙幣の概略イメージを示す図である。
【図４】現金自動取引装置における金種別紙幣最大変動枚数を算出するためのテーブルを示す図である。
【図５】ホストコンピュータにおける端末情報を統計管理するためのデータベースを示す図である。
【図６】現金自動取引装置における紙幣装填処理のフローチャートを示す図である。
【図７】現金自動取引装置における紙幣出金取引処理のフローチャートを示す図である。
【図８】現金自動取引装置における紙幣入金取引処理のフローチャートを示す図である。
【図９】紙幣入金処理制御フロー図内の入出金取引情報比較処理と処理パラメータを示す図である。
【図１０】現金自動取引装置における出金取引情報データクリア処理のフローチャートを示す図である。
【図１１】現金自動取引装置における紙幣回収処理でのフローチャートを示す図である。
【図１２】現金自動取引装置における取引ジャーナル印字例１を示す図である。
【図１３】現金自動取引装置における金種別紙幣最大変動枚数の具体的な算出例を示す図である。
【図１４】現金自動取引装置における紙幣補充処理でのフローチャートを示す図である。
【図１５】現金自動取引装置における取引ジャーナル印字例２を示す図である。
【発明を実施するための形態】
【実施例１】
【００２１】
以下、図１から図１３を参照して、本発明の一実施形態を説明する。本実施形態は、銀行システムなどの金融機関システムに採用される例えばＡＴＭ（Automatated  Tellers  Machine）のような入出金紙幣還流方式の現金自動取引装置について説明しているが、これに限らず紙幣の入出金を行う様々な装置に適用することができる。
【００２２】
先ず、図１は本実施形態に係る現金自動取引装置１と通信網を介してホストコンピュータ１１に接続されたシステム構成図であり、図２は現金自動取引装置１００とホストコンピュータ２００の内部構成図である。本接続図および内部構成図を用いて、概略構造を説明する。
【００２３】
現金自動取引装置（以下ＡＴＭとする）１は、金融機関の各店舗の他、コンビニエンスストアやデパートなどの各店舗、市役所、病院など各所に設置され、エンドユーザの操作によって現金の入金や出金、口座振込み、口座振替などの各種取引を行うための現金自動取引装置であり、回線接続部８によりホストコンピュータ１１の回線接続部１２に接続されている。
【００２４】
ＡＴＭ１００は利用者の要求する種々の取引を自動的に実行する装置であり、表示／操作部１１０、カード受付部１１２、通帳受付部１１４、ジャーナル部１１６、紙幣入出金受入／払出部１１８、などのデバイス部と、紙幣読取部１４０、紙幣搬送部１５０、紙幣保管部１６０、紙幣装填部１７０、紙幣回収部１８０、などの紙幣ユニット部と、該デバイス部、該ユニット部を制御する制御部１２０などで構成されている。制御部１２０は、ＣＰＵ,メモリ等のハード構成とＡＴＭ１００の各デバイス部、各紙幣ユニット部を制御するためのソフト構成から成り、通信部１２２、照合部１２４、記憶部１２６、紙幣制御処理部１２８などのソフトウェアで構成される。以下に各部位の機能について説明を行う。
【００２５】
表示／操作部１１０は画面表示、タッチパネル等によるキー入力機能をもっており、主にエンドユーザが取引を行う際、取引操作の誘導画面を表示したり、暗証番号などエンドユーザの操作や指で押されたキー入力を受付ける部分である。カード受付部１１２は、キャッシュカードの挿入又は排出動作、キャッシュカードに記録された口座番号などのデータの読取り機能などを有する。
【００２６】
通帳受付部１１４は、通帳の挿入／排出動作、通帳の磁気ストライプに記録された口座番号などのデータの読取り機能、通帳への取引履歴の印字機能などを有する。ジャーナル部１１６は、入出金などの各種取引履歴、装填／回収などの運用履歴をジャーナル用紙およびハードディスク内の電子ジャーナルに記録する機能を有する。紙幣入出金受入／払出部１１８は、エンドユーザからの入金紙幣の受入／エンドユーザへの出金紙幣の払い出し機能を有する。
【００２７】
紙幣読取部１４０は、装填、回収、補充、入出金時に通過する紙幣の鑑別、紙幣の金種別枚数の計数、入出金時の紙幣記番号を読取り、該紙幣の金種別枚数、紙幣記番号データを制御部１２０に通知する機能を有する。紙幣搬送部１５０は、装填、回収、補充、入出金時に紙幣を所定の紙幣ユニット位置まで搬送する機能を有する。紙幣保管部１６０は、装填、回収、補充、入出金時の紙幣を金種別に収納または繰出す機能を有する。
【００２８】
紙幣装填部１７０は、運用開始時または運用中の紙幣補充時に紙幣装填部１７０にセットした紙幣を紙幣保管部１６０に装填するための紙幣装填用ボックスである。紙幣回収部１８０は、運用終了時に紙幣保管部１６０に残っている紙幣を回収して紙幣回収部１８０に回収するための紙幣回収用ボックスである。
【００２９】
装填／補充、回収、入出金取引時における紙幣の流れを以下に説明する。紙幣を装填／補充した際には、紙幣装填部１７０から紙幣搬送経路１５４に沿って搬送され、紙幣保管部１６０に収納される。紙幣を回収した際には、紙幣保管部１６０から紙幣搬送経路１５５に沿って搬送され、紙幣回収部１８０に回収される。紙幣を入金した際には、紙幣入出金受入／払出部１１８から紙幣搬送経路１５２に沿って搬送され、紙幣保管部１６０に収納される。紙幣を出金した際には、紙幣保管部１６０から紙幣搬送経路１５３に沿って搬送され、紙幣入出金受入／払出部１１８に放出される。
【００３０】
通信部１２２は、ホストコンピュータ（以下ホスト）２００との間でオンライン開始データ、オンライン終了データ、入出金取引データ、入出金取引集計データ、在高管理データなどの各種オンライン取引データ、運用履歴データなどの送受信を行う。
【００３１】
照合部１２４は、ＡＴＭ１００の取引および運用全般において記憶部１２６で記憶したデータの比較、照合をおこなう。記憶部１２６は、照合部１２４で使用する比較、照合をおこなうデータの記憶を行う。紙幣制御処理部１２８は、各紙幣ユニットに対して、紙幣の装填、回収、補充、入出金などのコマンド指令を実行することで各紙幣ユニットの動作制御を行う。
【００３２】
一方、ＡＴＭ１００と接続するホストコンピュータ（以下ホスト）２００はＡＴＭ１００とのオンライン取引による制御を行うと共に、データ保管部２１０のデータベース内に、ＡＴＭ利用者の口座登録情報データ（口座番号、氏名，住所，電話番号などの口座名義人情報、暗証番号、入出金取引記録、残高などの口座管理データ）や、ＡＴＭ１００の運用管理情報（入出金取引集計データ、在高管理データなど）などが保管され、取引毎また１日または数日の装填／回収／補充など運用毎にデータの値が更新される。
【００３３】
図３は、ＡＴＭ１００で使用する紙幣の概略イメージ図である。紙幣３００に印刷された紙幣記番号３１０は、日本銀行券の全金種（１万円札、五千円札、二千円札、千円札）の紙幣個々に記された通し番号である。該紙幣記番号３１０は、日本銀行券ではアルファベットと算用数字の８桁または９桁の組み合わせとなっており、同一のものは存在しない。従って、本発明では、ＡＴＭ１００の入出金時に該紙幣記番号３１０をＡＴＭ１００で読み取り記憶し、この情報を比較することで、入金された紙幣とそれ以前に出金された紙幣とが同一紙幣かどうかの判別に用いる。
【００３４】
図４は、本発明において使用するＡＴＭ１００の１日の運用における金種別の紙幣最大変動枚数などを算出するためのデータを記憶するテーブルである。各テーブルの用途および各テーブル内の記憶データについて、図４を用いて説明する。
【００３５】
在高管理テーブル（図４−（Ａ））は、ＡＴＭ１００の紙幣保管部１６０にある紙幣の金種別の在高枚数の状態を記憶して管理するためのテーブルである。現在在高枚数は、ＡＴＭ１００の紙幣保管部１６０にある現在時点の紙幣の金種別の在高枚数である。制御部１２０は、該テーブル初期値としてＡＴＭ電源オン起動時に０クリアし、紙幣装填時に紙幣保管部１６０に装填された紙幣の金種別の在高枚数を記憶し、入出金の都度、入出金した紙幣の金種別の枚数を該現在在高枚数に加減算し、現在在高枚数を求める。
【００３６】
最大在高枚数は、ＡＴＭ１００の紙幣保管部１６０にある紙幣の金種別の在高枚数が最大値になった時点の在高枚数の記憶値である。制御部１２０は、該テーブル初期値としてＡＴＭ電源オン起動時に０クリアし、紙幣装填時に紙幣保管部１６０に装填された紙幣の金種別の在高枚数を記憶し、入出金取引の都度、現在在高枚数と比較し、現在在高枚数が大きい場合に、該現在在高枚数値に更新することで、最大在高枚数を求め記憶する。
【００３７】
最小在高枚数は、ＡＴＭ１００の紙幣保管部１６０にある紙幣の金種別の在高枚数が最小値になった時点の在高枚数の記憶値である。制御部１２０は、該テーブル初期値としてＡＴＭ電源オン起動時に０クリアし、紙幣装填時に紙幣保管部１６０に装填された紙幣の金種別の在高枚数を記憶し、入出金取引の都度、現在在高枚数と比較し、現在在高枚数が小さい場合に、該現在在高枚数値に更新することで、最小在高枚数を求め記憶する。
【００３８】
最大変動在高枚数は、最大在高枚数と最小在高枚数の差分の値であり、制御部１２０は、該テーブル初期値としてＡＴＭ電源オン起動時に０クリアし、運用終了時または運用中の紙幣補充時の回収／補充処理において、該差分値を算出して記憶する。
【００３９】
出金取引情報管理テーブル（図４−（Ｂ））は、エンドユーザが出金取引をおこなった際に、在高管理テーブル（図４−（Ａ））の最小在高枚数が更新された場合に、該出金取引の取引情報を記憶するためのテーブルである。入金取引情報管理テーブル（図４−（Ｃ））は、エンドユーザが入金取引をおこなった際の入金取引の取引情報を記憶するためのテーブルである。なお、ここでいう入金取引とは、ＡＴＭ１００への現金の入金を伴う取引のことであり、現金を使用した口座振込み取引なども含む。
【００４０】
出金取引情報管理テーブル（図４−（Ｂ））および入金取引情報管理テーブル（図４−（Ｃ））には、取引番号、取引時刻、口座番号、個人識別情報、入金紙幣枚数または出金紙幣枚数を取引情報として対応付けて記憶する。
【００４１】
取引番号は、出金取引情報管理テーブル（図４−（Ｂ））において、取引毎に１から順番にテーブル内で採番され、出金取引情報データを取引番号単位に記憶し、出金紙幣番号管理テーブル（図４−（Ｄ））内のデータと関連付けて管理するための識別情報である。
【００４２】
取引時刻は、入出金取引をおこない、ホストとのオンライン通信によりホストより取引成立のデータを受信し、入出金取引が正常に成立した時刻を記憶する。口座番号は、入出金取引をおこなったエンドユーザの口座番号データであり、キャッシュカードまたは通帳から読み取った口座番号を記憶する。
【００４３】
個人識別情報は、入出金取引をおこなった口座の所有者を特定するための口座名義人氏名や電話番号または、金融機関が口座名義人を一元管理するための専用の顧客コードなど個人（例えば、エンドユーザ）を識別するためのデータである。個人識別情報の取得方法としては、ＡＴＭ１００とホストとのオンライン取引により、ＡＴＭ１００からホストへ送信された電文内の取引口座番号をキーにしてホスト側で、ホストの口座管理情報データベースより該個人識別情報データを抽出し、該抽出したデータをホストからＡＴＭ１００に送信することで、ＡＴＭ１００はホスト受信電文内の該抽出データを個人識別情報として記憶する。
【００４４】
入金紙幣枚数および出金紙幣枚数は、入出金取引でＡＴＭ１００に入金またはＡＴＭ１００から出金した紙幣の金種別枚数をそれぞれ記憶する。
【００４５】
出金紙幣番号管理テーブル（図４−（Ｄ））、入金紙幣番号管理テーブル（図４−（Ｅ））は、出金取引でＡＴＭ１００から紙幣を出金または、入金取引でＡＴＭ１００に紙幣を入金した際に、該紙幣がＡＴＭ１００の紙幣読取部１４０を通過する際にＡＴＭ１００で読取ったすべての紙幣の紙幣記番号データを記憶するためのテーブルである。また紙幣が出金された際には、紙幣記番号データを出金取引情報管理テーブル（図４−（Ｂ））内の取引番号と対応付けて出金紙幣番号管理テーブル（図４−（Ｄ））に紙幣記番号データを記憶する。
【００４６】
図５は、ホストにおけるＡＴＭ１００の運用履歴を統計管理するためのデーターベースの例である。ＡＴＭ１００の１日の運用終了時に各接続ＡＴＭ１００からホストに対して、ＡＴＭ１００の装置機番号（各設置ＡＴＭ毎にシステム構成情報として設定された各設置ＡＴＭ１００を識別するための機器番号データ）と在高管理テーブル（図４−（Ａ））内の運用履歴データが送信され、ホストは、該ＡＴＭ運用履歴データを各装置機番号別に日々データベースに蓄積し、このデータを統計管理することで各設置場所のＡＴＭ１００に応じた適正な準備金を算出するために用いる。該統計管理データの使用例としては、各装置における各曜日毎、各月毎、各特異日（月末、大型連休の前日など）などでデータを分類し、統計管理することにより、各装置毎のその営業日に応じた適正な準備金を算出できる。例えば、ＡＴＭ１００から受信した在高管理テーブルを記憶部に記憶し、制御部が日々の最大在高枚数や最小在高枚数、あるいは最大変動在高枚数を集計して日毎の統計（値の増減等）を取得し、そのＡＴＭ１００に準備すべき紙幣を算出する。
【００４７】
次にＡＴＭ１００の運用開始（紙幣装填）から、エンドユーザの入出金取引、運用終了（紙幣回収）までの取引処理フローを図６、図７、図８、図９、図１０、図１１を用いて説明する。
【００４８】
図６は、ＡＴＭ１００における１日の運用開始時、ユーザが準備金として用意した紙幣をＡＴＭ１００に装填操作した場合の処理フローを示す。図６の装填処理フローでは、ユーザが紙幣をＡＴＭ１００の紙幣装填部１７０にセットして紙幣装填操作を実行することで、紙幣読取部１４０が紙幣装填部１７０の紙幣を金種別に計数し、紙幣搬送部１５０が紙幣保管部１６０に収納する（Ｓ１００）。次に装填処理が正常終了した後、制御部１２０は、装填時に計数した金種別の紙幣装填枚数を、在高管理テーブル（図９−（Ａ））の最大在高枚数、最小在高枚数に記憶する（Ｓ１０２）。
【００４９】
図７は、エンドユーザが出金取引をおこなった場合の処理フローを示す。図７の出金取引処理フローでは、エンドユーザが出金取引をおこない出金取引が正常に成立した場合、ＡＴＭ１００は、紙幣の出金処理を開始する（Ｓ２００）。次に、制御部１２０は、出金取引情報クリア処理を実行し、出金取引情報管理テーブル（図４−（Ｂ））と出金紙幣番号管理テーブル（図４−（Ｄ））に記憶されたデータの内、不要となった出金取引情報データをクリアする（Ｓ２０２）。
【００５０】
次に、制御部１２０は、在高管理テーブル（図４−（Ａ））の現在在高枚数から、出金取引情報管理テーブル（図４−（Ｂ））の出金紙幣枚数を減算し、現在在高枚数を更新する（Ｓ２０４）。制御部１２０は、次に在高管理テーブル（図４−（Ａ））の最小在高枚数と現在在高枚数を比較する（Ｓ２０６）。次に、制御部１２０は、（Ｓ２０８）で比較した結果、在高管理テーブル（図４−（Ａ））の最小在高枚数より現在在高枚数が小さいと判定した場合（Ｓ２０８；Ｙｅｓ）、最小在高枚数を現在在高枚数の値に更新する（Ｓ２１０）。
【００５１】
そして、制御部１２０は、出金取引情報管理テーブル（図４−（Ｂ））内に、１取引毎に１から昇順に採番した取引番号、出金取引が成立した取引時刻、該出金取引時にＡＴＭ１００に挿入されたキャッシュカードまたは通帳から読み取った口座番号、この口座番号をもとにホストの口座管理情報データベースから抽出した個人識別情報、金種毎の出金紙幣枚数を記憶する（Ｓ２１２）。そして、制御部１２０は、出金取引情報管理テーブル（図４−（Ｂ））の取引番号と対応付けて、出金紙幣番号管理テーブル（図４−（Ｄ））内に、該取引番号と該出金したすべての紙幣の紙幣記番号データを記憶する（Ｓ２１４）。
【００５２】
図８は、エンドユーザが入金取引をおこなった場合の処理フローを示す。図８の入金取引処理フローでは、ＡＴＭ１００は、エンドユーザが入金取引をおこなった場合、紙幣の入金処理を開始する（Ｓ３００）。次に、制御部１２０は、入金取引が正常に成立した場合、入金取引が成立した取引時刻、該入金取引時にＡＴＭ１００に挿入されたキャッシュカードまたは通帳から読み取った口座番号、この口座番号をもとにホストの口座管理情報データベースから抽出した個人識別情報、金種毎の入金紙幣枚数を入金取引情報管理テーブル（図４−（Ｃ））に記憶する（Ｓ３０２）。次に、制御部１２０は、入金した紙幣の紙幣記番号データを入金紙幣番号管理テーブル（図４−（Ｅ））に記憶する（Ｓ３０４）。
【００５３】
次に、制御部１２０は、出金取引情報クリア処理を実行し、出金取引情報管理テーブル（図４−（Ｂ））と出金紙幣番号管理テーブル（図４−（Ｄ））に記憶したデータの内、不要となった出金取引情報データをクリアする（Ｓ３０６）。制御部１２０は、次に在高管理テーブル（図４−（Ａ））の現在在高枚数に、入金取引情報管理テーブル（図４−（Ｃ））の入金紙幣枚数を加算し、現在在高枚数を更新する（Ｓ３０８）。
【００５４】
制御部１２０は、次に在高管理テーブル（図４−（Ａ））の最大在高枚数と現在在高枚数を比較する（Ｓ３１０）。次に、制御部１２０は、（Ｓ３１２）で比較した結果、在高管理テーブル（図４−（Ａ））の最大在高枚数より現在在高枚数が大きいと判定した場合（Ｓ３１２；Ｙｅｓ）、最大在高枚数を現在在高枚数の値に更新する（Ｓ３１４）。制御部１２０は、次に入出金取引情報比較処理を実行する（Ｓ３１６）。
【００５５】
制御部１２０は、次に入出金取引情報比較処理の処理結果が補正要となったか否かを判定し（Ｓ３１８）、補正要となったと判定した場合（Ｓ３１８；Ｙｅｓ）、在高管理テーブル（図４−（Ａ））の最小在高枚数に補正枚数（入出金取引で記番号が一致した紙幣の金種別枚数）を加算し、最小在高枚数の値を補正する（Ｓ３２０）。制御部１２０は、次に取引ジャーナルに在高管理テーブル（図４−（Ａ））の最小在高枚数の値を補正した旨の処理履歴情報（処理内容、理由、補正枚数など）を印字する（Ｓ３２２）。
【００５６】
一方、制御部１２０は、入出金取引情報比較処理（Ｓ３１６）にて、処理結果が「補正不要」となったと判定した場合（Ｓ３１８；Ｎｏ）、最小在高枚数の値を補正せずに（Ｓ３２４）の処理に進む。
【００５７】
制御部１２０は、次に入金取引情報管理テーブル（図４−（Ｃ））と入金紙幣番号管理テーブル（図４−（Ｅ））に記憶されているデータをすべてクリアする（Ｓ３２４）。このように、エンドユーザによる入出金取引の都度、前記入出金処理（図７）（図８）を繰り返し実行することで、ＡＴＭ１００の１日の運用における最大在高枚数と最小在高枚数を求める。
【００５８】
図９は、図８の入金取引処理フローにおける入出金取引情報比較処理（Ｓ３１６）の比較結果の取引ケース別の詳細処理内容を示す。入出金取引情報比較処理（Ｓ３１６）の詳細処理内容を図９を用いて説明する。
【００５９】
取引ケース１の場合は、出金取引情報管理テーブル（図４−（Ｂ））内の出金取引時刻と、入金取引情報管理テーブル（図４−（Ｃ））内の入金取引時刻が、処理パラメータＡ（後述）で設定された規定時間以内の取引間隔で、且つ、入出金取引の口座番号が一致、且つ、個人識別情報が一致、且つ、該入出金取引が同一人による連続した取引の場合を示している。この場合、制御部１２０は、入金紙幣番号管理テーブル（図４−（Ｅ））内の紙幣記番号データと出金取引情報管理テーブル（図４−（Ｂ））内の口座番号、個人識別情報が一致した取引番号に対応する出金紙幣番号管理テーブル（図４−（Ｄ））内の紙幣記番号データについて金種毎にすべて比較し、一致した金種毎の紙幣枚数をカウントし、紙幣記番号一致紙幣有の場合、カウント枚数を最小在高枚数補正値として記憶し、処理結果を「補正要」に設定する。紙幣記番号一致紙幣無し（一致紙幣０枚）の場合、処理結果を「補正不要」に設定する。
【００６０】
取引ケース２の場合は、出金取引情報管理テーブル（図４−（Ｂ））内の出金取引時刻と、入金取引情報管理テーブル（図４−（Ｃ））内の入金取引時刻が、処理パラメータＡで設定された規定時間以内の取引間隔で、且つ、入出金取引の口座番号は不一致、且つ、個人識別情報が一致、且つ、該入出金取引が同一人による連続した取引であり、且つ、処理パラメータＢ（後述）の取引ケース２の処理設定が「補正要」の取引の場合を示している。この場合、制御部１２０は、入金紙幣番号管理テーブル（図４−（Ｅ））内の紙幣記番号データと出金取引情報管理テーブル（図４−（Ｂ））内の個人識別情報が一致した取引番号に対応する出金紙幣番号管理テーブル（図４−（Ｄ））内の紙幣記番号データについて金種毎にすべて比較し、一致した金種毎の紙幣枚数をカウントし、紙幣記番号一致紙幣有の場合、カウント枚数を最小在高枚数補正値として記憶し、処理結果を「補正要」に設定する。制御部１２０は、紙幣記番号一致紙幣無し（一致紙幣０枚）の場合、処理結果を「補正不要」に設定する。また、制御部１２０は、処理パラメータＢの取引ケース２の処理設定が「補正不要」の場合、処理結果を「補正不要」に設定し、入出金取引の紙幣記番号データの比較はおこなわない。
【００６１】
取引ケース３の場合は、出金取引情報管理テーブル（図４−（Ｂ））内の出金取引時刻と、入金取引情報管理テーブル（図４−（Ｃ））内の入金取引時刻が、処理パラメータＡで設定された規定時間以内の取引間隔で、且つ、入出金取引の口座番号が一致、且つ、個人識別情報が一致したが、該入出金取引が同一人による連続した取引でない取引の場合を示している。この場合、制御部１２０は、処理結果を「補正不要」に設定する。
【００６２】
取引ケース４の場合は、出金取引情報管理テーブル（図４−（Ｂ））内の出金取引時刻と、入金取引情報管理テーブル（図４−（Ｃ））内の入金取引時刻が、処理パラメータＡで設定された規定時間以内の取引間隔で、且つ、入出金取引の口座番号は不一致、且つ、個人識別情報が一致したが、該入出金取引が同一人による連続した取引でない場合を示している。この場合、制御部１２０は、処理結果を「補正不要」に設定する。
【００６３】
尚、入出金取引が同一人による連続した取引かを判定する処理においては、制御部１２０は、出金取引後、同一のエンドユーザが入出金取引以外の現金の入金を伴わない口座振込や口座振替、通帳記入などの各種取引をおこなった場合でも、その後に現金の入金取引をおこなった場合は、連続した取引をおこなったとみなす。
【００６４】
取引ケース５の場合は、出金取引情報管理テーブル（図４−（Ｂ））内の出金取引時刻と、入金取引情報管理テーブル（図４−（Ｃ））内の入金取引時刻が、処理パラメータＡで設定された規定時間以内の取引間隔であったが、入出金取引の口座番号と個人識別情報が不一致の取引の場合を示している。この場合、制御部１２０は、処理結果を「補正不要」に設定する。
【００６５】
取引ケース６の場合は、出金取引情報管理テーブル（図４−（Ｂ））内の出金取引時刻と、入金取引情報管理テーブル（図４−（Ｃ））内の入金取引時刻が、処理パラメータＡで設定された規定時間以外の取引間隔の場合を示している。この場合、制御部１２０は、処理結果を「補正不要」に設定する。
【００６６】
図９（２）に、上述した処理パラメータＡ、処理パラメータＢの設定例と設定内容詳細を示す。本処理パラメータは、ユーザが、ＡＴＭ１００の運用方法（例えば、大都市店舗に設置されたＡＴＭの場合には、多数の取引を取り扱うため規定時間を短く設定したり、小規模店舗に設置されたＡＴＭの場合には、振り込み機能を有していない装置もあるため、そのような場合には、ケース２で口座番号が不一致であり補正要の場合でも、そのＡＴＭは補正不要に設定する等）に合わせて自由に設定値の変更が可能なパラメータである。該処理パラメータは図９（２）に示すようなデフォルト設定値が、例えば、記憶部１２６にあらかじめ設定されている。デフォルト設定値の変更方法としては、ホストからのプログラムダウンロード機能によってＡＴＭプログラム内の処理パラメータファイルの設定値を変更するか、ＡＴＭ１００の保守用画面などに該処理パラメータ設定画面を表示し、タッチパネルからのキー入力によって該デフォルト設定値の変更をできるようにしても良い。
【００６７】
図１０は、出金取引情報管理テーブル（図４−（Ｂ））と出金紙幣番号管理テーブル（図４−（Ｄ））に記憶した出金取引情報データの内、図９の入出金取引情報比較処理で使用するデータの対象外となり、記憶が不要となったデータをクリアするための処理フローを示す。図１０の出金取引情報クリア処理は、出金取引処理フロー（図７）および入金取引処理フロー（図８）におけるそれぞれの処理から起動されることで、処理を実行開始する。
【００６８】
先ず、制御部１２０は、出金取引情報管理テーブル（図４−（Ｂ））内に記憶データが有るかを判定する（Ｓ４００）。制御部１２０は、もし記憶データがないと判定した場合（Ｓ４００；Ｎｏ）、そのまま何もせずに処理を終了する。一方、制御部１２０は、記憶データが有ると判定した場合（Ｓ４００；Ｙｅｓ）、実行された取引が入金取引か出金取引かを判定する（Ｓ４０２）。
【００６９】
次に、制御部１２０は、実行された取引が出金取引であると判定した場合、出金取引をおこなった個人識別情報と出金取引情報管理テーブル（図４−（Ｂ））内の個人識別情報を比較する（Ｓ４０４）。また、制御部１２０は、実行された取引が入金取引であると判定した場合、入金取引をおこなった個人識別情報と出金取引情報管理テーブル（図４−（Ｂ））内の個人識別情報を比較する（Ｓ４０６）。
【００７０】
制御部１２０は、次に、（Ｓ４０４）または（Ｓ４０６）の比較結果で個人識別情報が一致したか否かを判定し（Ｓ４０８）、両者が不一致であると判定した場合（Ｓ４０６；Ｎｏ）、出金取引情報管理テーブル（図４−（Ｂ））と出金紙幣番号管理テーブル（図４−（Ｄ））内のすべての記憶データをクリアし処理を終了する（Ｓ４１０）。
【００７１】
一方、制御部１２０は、（Ｓ４０４）または（Ｓ４０６）の比較結果で個人識別情報が一致したと判定した場合（Ｓ４０８；Ｙｅｓ）、現在時刻から処理パラメータＡ（図９）で設定された時間分を遡った時刻以前の取引に該当する出金取引情報管理テーブル（図４−（Ｂ））内の取引番号の該取引番号を含む記憶データと、該取引番号に対応する出金紙幣番号管理テーブル（図４−（Ｄ））内の該取引番号を含む記憶データをクリアし処理を終了する（Ｓ４１２）。
【００７２】
図１１は、ＡＴＭ１００における１日の運用終了時、ユーザがＡＴＭ装置内に残っている紙幣をＡＴＭ１００の紙幣回収部に回収操作した場合の処理フローを示す。図１１の紙幣回収処理では、ＡＴＭ１００の１日の運用終了時、紙幣回収処理を実行することで、ＡＴＭ１００の紙幣保管部に残っている紙幣を金種別に計数して紙幣回収部に収納する。尚、この際、制御部１２０は、現在在高枚数は保持したままとする（Ｓ５００）。
【００７３】
制御部１２０は、次に在高管理テーブル（図４−（Ａ））の最大在高枚数から最小在高枚数を減算し、この値を在高管理テーブル（図４−（Ａ））の最大変動在高枚数に記憶する（Ｓ５０２）。次に、制御部１２０は、取引ジャーナルに装置機番号と金種毎の紙幣装填／回収枚数、在高管理テーブル（図４−（Ａ））内の最大在高枚数と最小在高枚数と最大変動在高枚数を印字する（Ｓ５０４）。制御部１２０は、次に、該装置機番号と在高管理テーブル（図４−（Ａ））内のデータ（現在在高枚数、最大在高枚数、最小在高枚数、最大変動在高枚数）をホストに送信する（Ｓ５０６）。
【００７４】
図１２は、入金取引処理フロー（図８）（Ｓ３２２）において前記特異取引ケースを検出し、在高管理テーブル（図４−（Ａ））内の最小在高枚数の値の補正をおこなった場合と、紙幣回収処理フロー（図１１）を実行した時の（Ｓ５０４）での取引ジャーナルの印字例を示す。ジャーナルに該取引履歴を取得することで、前記特異取引ケースを検出し、在高管理テーブル（図４−（Ａ））内の最小在高枚数の値の補正をおこなった処理内容の詳細確認と、（Ｓ５０６）でホストへのデータ送信が回線障害等により失敗した場合でも、該取引ジャーナル用紙を持ち帰ることで在高情報（最大在高枚数、最小在高枚数、最大変動在高枚数）のジャーナル上での確認を可能とする。
【００７５】
図１３は、前記処理フローにおいて、１日のＡＴＭ運用における特異取引ケースが混在した場合の金種別の紙幣最大変動枚数の具体的な算出例を示す。図１３の算出例について以下取引番号の順に詳細内容を説明する。
【００７６】
まず運用開始時に、装填処理によって現在在高枚数、最大在高枚数、最小在高枚数がセットされる。次に、取引番号１の取引では、入金取引によって現在在高枚数が最大在高枚数より大きくなったため、最大在高枚数が現在在高枚数に更新される。次に、取引番号２の取引では、出金取引によって現在在高枚数が最小在高枚数より小さくなったため、最小在高枚数が現在在高枚数に更新される。次に、取引番号３の取引では、制御部１２０が取引番号２の取引との入出金取引情報を比較した結果、規定時間内に、同一利用者、同一口座番号によって入金取引が実行されたが、紙幣記番号一致枚数は０枚であったため、最小在高枚数補正値は０枚となり、最小在高枚数は更新されない。
【００７７】
次に、取引番号４の取引では、出金取引によって現在在高枚数が最小在高枚数より小さくなったため、最小在高枚数が現在在高枚数に更新される。次に、取引番号５の取引では、制御部１２０が取引番号４の取引との入出金取引情報を比較した結果、規定時間内に、同一利用者、同一口座番号によって入金取引が実行され、紙幣記番号一致枚数は１８０枚であったため、最小在高枚数補正値は１８０枚となり、最小在高枚数は、２９５枚に補正値１８０枚を加算して４７５枚に更新される。
【００７８】
次に、取引番号６の取引では、制御部１２０が取引番号４の取引との入出金取引情報を比較した結果、規定時間内に、同一利用者によって入金取引が実行され、口座番号は不一致であったが処理パラメータでこの取引ケースを補正する設定となっており、且つ紙幣記番号一致枚数は１０枚であったため、最小在高枚数補正値は１０枚となり、最小在高枚数は、４７５枚に補正値１０枚を加算して４８５枚に更新される。
【００７９】
次に、取引番号７の取引では、出金取引によって現在在高枚数が最小在高枚数より小さくなったため、最小在高枚数が現在在高枚数に更新される。次に、取引番号８の取引では、取引番号４の取引と同一の利用者、同一の口座番号によって入金取引が実行されているが、同一利用者による連続取引ではない（取引番号７の取引の利用者と異なる）ため、最小在高枚数は補正されない。
【００８０】
次に、取引番号９の取引では、取引番号７の取引から規定時間内に入金されたが、取引番号７の取引と利用者、口座番号とも不一致であるため、最小在高枚数は補正されない。次に、取引番号１０の取引では、入金取引によって現在在高枚数が最大在高枚数より大きくなったため、最大在高枚数が現在在高枚数に更新されるが、規定時間外に入金された取引のため、最小在高枚数は補正されない。制御部１２０は、運用終了時、回収処理の実行を契機に最大在高枚数から最小在高枚数を減算して、紙幣最大変動枚数を求める。
【００８１】
なお、本実施例では、出金処理を行った後に入金処理を行う前提で説明しているが、入金処理を行った後に出金処理を行った場合についても同様に適用することができる。具体的には、図８の入金取引処理を行う場合、制御部１２０は、（Ｓ３０６）の出金取引情報データクリア処理（図１０）では、（Ｓ４１０）において入金取引情報データをすべてクリアし、（Ｓ４１２）において規定時間より、以前の入金取引情報データをクリアする。そして、（Ｓ３０７）〜（Ｓ３１４）までの各処理を行った後、図７に示した（Ｓ２１１）、（Ｓ２１２）の出金取引処理の場合と同様に、取引番号、取引時刻、取引口座番号、個人識別情報、入金紙幣枚数を記憶し、入金紙幣の記番号を記憶する。
【００８２】
そして、図７の出金取引処理を行う場合、制御部１２０は、上述した出金取引情報データクリア処理と同様の処理を行い（Ｓ２０２）、（Ｓ２０４）〜（Ｓ２１０）の各処理を行った後、図８に示した（Ｓ３１６）〜（Ｓ３２４）の入金取引処理を行う。このとき、制御部１２０は、（Ｓ３１８）で補正要と判断した場合、（Ｓ３２０）において、在高管理テーブル（図４−（Ａ））の最大在高枚数に補正枚数（入出金取引で記番号が一致した紙幣の金種別枚数）を減算し、最大在高枚数の値を補正する。
【００８３】
このように、本現金自動取引装置では、紙幣の装填、回収、補充、入金、出金などの機能に、入出金紙幣に印刷された紙幣記番号情報を読み取る専用機能を備えた入出金紙幣還流方式の現金自動取引装置において、エンドユーザが入出金取引時、紙幣金種毎の装置内現金在高値が最大値または最小値に更新される都度その値を記憶し、さらに入出金取引の情報（取引番号、取引時刻、取引口座番号、取引をおこなったエンドユーザを特定するための個人識別情報、金種毎の取引紙幣枚数、入出金した全紙幣の金種毎の紙幣記番号データ）を記憶し、入金時に該入金取引情報と該出金取引情報をそれぞれ比較することで、同一エンドユーザが現金を出金後、規定時間内に連続して取引をおこない、出金時と同一の記番号の紙幣を入金した取引ケースを検出し、該出金取引時において紙幣金種毎の装置内現金在高が最小値に更新されている場合、該装置内現金在高の最小値に対して、該入金取引で入金された紙幣のうち該出金取引時と同一の紙幣記番号の金種毎の紙幣枚数を加算することで、装置内現金在高の最小値を補正し、装置運用における装置内現金在高枚数の最大値と最小値を求めることで、適正な準備金の算出を可能とした。
【００８４】
また、前記取引ケースの判定方法については、エンドユーザが出金をおこなった後、入金取引を連続しておこなうまでの規定時間や、特定取引ケースについて装置内在高の最小値を補正するかしないかを処理パラメータによって設定することで、ユーザ運用に合わせて、自由に変更可能とすることによって、ユーザ運用に合った適正な準備金を算出することが可能である。
【００８５】
さらに、処理パラメータの設定例として、例えば、規定時間の設定については、高齢者の多い環境（病院など）に設置されている装置で、操作に不慣れなエンドユーザが何度も操作のやり直しをする場合などを考慮して少し長めに時間を設定しておくとよい。
【００８６】
また、特定取引ケースについて装置内在高の最小値を補正するかしないかの設定については、口座振替取引ができない装置の場合などにおいては、エンドユーザが装置から一旦現金を出金後、同一エンドユーザによって入金取引が連続しておこなわれた場合でも、取引口座番号が不一致であった場合は、エンドユーザが出金をおこなったものとして装置内現金在高の最小値の算出をさせるよう、この取引ケースを、該処理パラメータによって装置内現金在高の最小値の補正をおこなわない設定値にすればよい。
【００８７】
このように、本現金自動取引装置によれば、各設置場所における現金自動取引装置毎に、一日または複数日の装置運用における金種毎の最大在高枚数と最小在高枚数を各特異取引ケースも考慮して適切に算出することで、この統計データをもとに装置毎の適正な準備金を把握することができ、これによって金融機関が、現金自動取引装置毎に準備金として用意する現金を減らすことが出来るとともに、装填／回収／補充時における装置内の紙幣搬送枚数が減ることで、紙幣ジャムなどの装置障害を抑制する効果が期待できる。
【実施例２】
【００８８】
上記実施例１では、ＡＴＭの１日の運用例として記載しているが、ＡＴＭが２４時間連続して運用され、数日置きなどの定期的な間隔でＡＴＭに現金を補充するケースにおいても、同様に本発明の方式を用いて紙幣毎の最大在高枚数、最小在高枚数を算出し、紙幣をＡＴＭに補充するタイミングで最大在高枚数、最小在高枚数の値から紙幣最大変動枚数を求め、装置機番号と紙幣補充日時間隔と一緒に該在高情報をホストに送信することで、該在高情報をホストで都度統計管理し、該統計情報をもとに次回補充日における金種毎の適正な紙幣補充枚数を算出することが可能である。
【００８９】
本実施例２でのシステム構成、概略構造、処理テーブル、処理フローは、図１から図１０および、図１４の紙幣補充処理からなる。図１から図１０については、すでに実施例１で説明した内容と同じため説明を省略する。該紙幣補充処理について、図１４を用いて以下に説明する。
【００９０】
図１４は、ＡＴＭ１００における紙幣補充処理時、ユーザが補充用現金として事前に用意した紙幣をＡＴＭ１００に補充操作した場合の処理フローを示す。
【００９１】
図１４の紙幣補充処理フローでは、ＡＴＭ１００において、補充用紙幣をＡＴＭ１００の紙幣装填部にセットして紙幣補充処理を実行することで、紙幣装填部の補充紙幣を金種別に計数して紙幣保管部に収納する（Ｓ６００）。次に、制御部１２０は、ＡＴＭ１００のハードディスクファイル内に保存された前回紙幣補充日時を読み込む（前回紙幣補充日時は、初回紙幣装填時および前回紙幣補充時の年月日と時刻情報がＡＴＭ１００のハードディスク内の特定ファイルに保存されている）（Ｓ６０２）。制御部１２０は、次に、現在日時から前回紙幣補充日時を減算し、紙幣補充日時間隔を記憶する（Ｓ６０４）。制御部１２０は、次に、在高管理テーブル（図４−（Ａ））の最大在高枚数から最小在高枚数を減算し、この値を在高管理テーブル（図４−（Ａ））の最大変動在高枚数に記憶する（Ｓ６０６）。
【００９２】
次に、制御部１２０は、取引ジャーナルに装置機番号と（Ｓ６０４）で記憶した紙幣補充日時間隔と在高管理テーブル（図４−（Ａ））内の現在在高枚数と最大在高枚数と最小在高枚数と最大変動在高枚数などを印字する（Ｓ６０８）。制御部１２０は、次に、該装置機番号と紙幣補充日時間隔と在高管理テーブル（図４−（Ａ））内のデータ（現在在高枚数、最大在高枚数、最小在高枚数、最大変動在高枚数）をホストに送信する（Ｓ６１０）。
【００９３】
制御部１２０は、次に、在高管理テーブル（図４−（Ａ））の現在在高枚数に紙幣補充枚数を加算して現在在高枚数を更新する（Ｓ６１２）。次に、制御部１２０は、在高管理テーブル（図４−（Ａ））の最大在高枚数、最小在高枚数の値を現在在高枚数の値に更新する（Ｓ６１４）。制御部１２０は、次に、現在日時（年月日、現在時刻）をＡＴＭ１００のハードディスク内の特定ファイルに「紙幣補充日時」として書き込み保存する（Ｓ６１６）。図１５は、紙幣補充処理フロー（図１４）を実行した時の（Ｓ６０８）における取引ジャーナルの印字例を示す。
【００９４】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【００９５】
また、上記の各構成、機能、処理部、処理手段等は、それらの一部又は全部を、例えば集積回路で設計する等によりハードウェアで実現してもよい。また、上記の各構成、機能等は、プロセッサがそれぞれの機能を実現するプログラムを解釈し、実行することによりソフトウェアで実現してもよい。各機能を実現するプログラム、テーブル、ファイル等の情報は、メモリや、ハードディスク、ＳＳＤ（Solid State Drive）等の記録装置、または、ＩＣカード、ＳＤカード、ＤＶＤ等の記録媒体に置くことができる。
【００９６】
また、制御線や情報線は説明上必要と考えられるものを示しており、製品上必ずしも全ての制御線や情報線を示しているとは限らない。実際には殆ど全ての構成が相互に接続されていると考えてもよい。
【００９７】
また、上記実施例の紙幣の種類は一万円札、千円札を用いて記載しているが、これ以外にも五千円札、二千円札なども処理対象に含めることが可能である。
【符号の説明】
【００９８】
１００      ＡＴＭ
１１０      表示／操作部
１１２      カード受付部
１１４      通帳受付部
１１６      ジャーナル部
１１８      紙幣入出金受入／払出部
１２０      制御部
１２２      通信部
１２４      照合部
１２６      記憶部
１２８      紙幣制御処理部
１４０      紙幣読取部
１５０      紙幣搬送部
１６０      紙幣保管部
１７０      紙幣装填部
１８０      紙幣回収部
２００      ホストコンピュータ。
【図１】
2014102618.tif 000003
【図２】
2014102618.tif 000004
【図３】
2014102618.tif 000005
【図４】
2014102618.tif 000006
【図５】
2014102618.tif 000007
【図６】
2014102618.tif 000008
【図７】
2014102618.tif 000009
【図８】
2014102618.tif 000010
【図９】
2014102618.tif 000011
【図１０】
2014102618.tif 000012
【図１１】
2014102618.tif 000013
【図１２】
2014102618.tif 000014
【図１３】
2014102618.tif 000015
【図１４】
2014102618.tif 000016
【図１５】
2014102618.tif 000017